(57)【要約】      （修正有）【課題】加熱体を使用することなくビーズによる絵模様を作成することができ、手軽で安全に遊ぶことのできるビーズ玩具セットを提供する。【解決手段】複数個の真球形状のビーズ30と、該ビーズ30を保持するための保持トレイ40から構成され、該保持トレイ40の上面に該ビーズ30が隣接して配列され、当該ビーズ30の表面が湿潤状態とされたとき、隣り合うビーズ同士が互いに融着して一体となることを特徴とするビーズ玩具セット10とする。【選択図】図１
0003131292.tif 000002
【実用新案登録請求の範囲】
【請求項１】
複数個の真球形状のビーズと、
該ビーズを保持するための保持トレイ
から構成され、
該保持トレイの上面に該ビーズが隣接して配列され、当該ビーズの表面が湿潤状態とされたとき、隣り合うビーズ同士が互いに融着して一体となることを特徴とするビーズ玩具セット。
【請求項２】
前記ビーズは、少なくとも表面がポリビニルアルコールを配合した合成樹脂で成形されていることを特徴とする請求項１に記載のビーズ玩具セット。
【請求項３】
前記保持トレイは所望肉厚の薄板であり、該保持トレイの上面に前記ビーズを保持するための略半球形状の窪みが規則的に形成されていることを特徴とする請求項１又は２に記載のビーズ玩具セット。
【請求項４】
前記窪みは、球面の一部で形成される底部と該底部に連なる円筒壁部とで形成される略半球形状とされていることを特徴とする請求項３に記載のビーズ玩具セット。
【請求項５】
前記保持トレイは、透明又は半透明であることを特徴とする請求項３又は４に記載のビーズ玩具セット。
【請求項６】
前記保持トレイを固定保持するためのベーストレイと、該保持トレイとベーストレイの間の空間に配置されるイラストシートを更に備え、該イラストシートの模様に従って該保持トレイの上面に前記ビーズの配列を可能としていることを特徴とする請求項５に記載のビーズ玩具セット。
【請求項７】
前記保持トレイは、下向きに空間を形成した保持部を有し、該保持部の内壁には前記ビーズを保持する略半球状の窪みが複数形成されていることを特徴とする請求項１又は２に記載のビーズ玩具セット。
【請求項８】
前記保持トレイは、種々の形状を模した側壁を有する平板状のトレイであり、該側壁は、ビーズの直径の半分以下の高さであることを特徴とする請求項１又は２に記載のビーズ玩具セット。
【考案の詳細な説明】
【技術分野】
【０００１】
本考案は、ビーズ玩具セットに関し、更に詳しくは、複数の色のビーズを絵を描くように配置し、隣り合うビーズを互いに融着させて使用するビーズ玩具セットに関する。
【背景技術】
【０００２】
従来、ビーズを熱融解して互いを融着することにより模様を作るビーズ玩具がある。これは、熱融解可能な樹脂製ビーズを所望のデザインどおりに並べ、ビーズの表面を熱で融解させて隣り合うビーズ同士を融着させることによりビーズによる絵模様を作成するものである。
【０００３】
例えば、中空円筒状に成形された熱融解可能な樹脂製ビーズをパターンシートの模様に合わせて該パターンシートの上方に配置したガイドボードに配列し、配列したビーズの表面からアイロン等の加熱体を押し当ててビーズ表面を融解させて互いを連結することにより一体化し、ビーズの絵模様を作成するビーズ玩具が提案されている（例えば、特許文献１参照）。
【特許文献１】実用新案登録第３０１２６８６号公報
【考案の開示】
【考案が解決しようとする課題】
【０００４】
上記従来のビーズ玩具は、取り扱いが容易で簡単にビーズの絵模様を作成することができるが、アイロン等の加熱体を用いるため、誤って加熱体に触れるとやけどする等の危険性があるという欠点があった。
【０００５】
本考案は、かかる点に鑑みてなされたものであり、加熱体を使用することなくビーズによる絵模様を作成することができ、手軽で安全に遊ぶことのできるビーズ玩具セットを提供することを目的としている。
【課題を解決するための手段】
【０００６】
本考案に係るビーズ玩具セットは、複数個の真球形状のビーズと、該ビーズを保持するための保持トレイとから構成され、該保持トレイの上面に該ビーズが隣接して配列され、当該ビーズの表面が湿潤状態とされたとき、隣り合うビーズ同士が互いに融着して一体となることを特徴とする。
【０００７】
本考案において、前記ビーズは、少なくとも表面をポリビニルアルコールを配合した合成樹脂を用いて成形することとする。
【０００８】
また、前記保持トレイは所望肉厚の薄板とし、該保持トレイの上面に前記ビーズを保持するための略半球形状の窪みを規則的に形成することとする。該窪みは、球面の一部で形成される底部と該底部に連なる円筒壁部とで形成されることが好ましい。
【０００９】
本考案において、当該保持トレイを、透明又は半透明とし、更に該保持トレイを固定保持するためのベーストレイと、該保持トレイとベーストレイの間の空間に配置されるイラストシートを備え、該イラストシートの模様に従って該保持トレイの上面に前記ビーズを配列することを可能とすることがある。
【００１０】
また、本考案において、前記保持トレイが下向きに空間を形成した保持部を有し、該保持部の内壁に前記ビーズを保持する略半球形状の窪みが複数形成されることもある。
【００１１】
更に、前記保持トレイは、種々の形状を模した側壁を有する平板状のトレイとすることもあり、該側壁はビーズの直径の半分以下の高さであることが好ましい。
【考案の効果】
【００１２】
本考案によれば、ビーズを保持トレイに配列してビーズ表面を湿潤状態とすることにより、隣り合うビーズ同士が接着するため、手軽に且つ安全にビーズの絵模様を作成することができる。また、当該ビーズは真球形状であるため、位置合わせの必要がなく、幼児でも容易に遊ぶことができる。
【考案を実施するための最良の形態】
【００１３】
本考案に係るビーズ玩具セットは、ポリビニルアルコールを配合した合成樹脂で成形された複数個の真球形状のビーズと、該ビーズを保持するための透明又は半透明の保持トレイから構成され、該保持トレイをベーストレイに固定保持し、該保持トレイとベーストレイの間の空間に配置したイラストシートの模様に従って保持トレイの上面にビーズを配列し、当該ビーズの表面を湿潤状態とすることにより、隣り合うビーズ同士が互いに融着して一体となり、ビーズの絵模様を作成することのできるビーズ玩具セットである。
【実施例】
【００１４】
以下、本考案に係るビーズ玩具セットについて詳細に説明する。図１は、本考案のビーズ玩具セットの第１実施形態を示す図であり、図２は、図１の保持トレイを裏面から見た斜視図である。図３は、イラストシート及びベーストレイの斜視図である。図４は、ベーストレイにイラストシート及び保持トレイを配置した状態の上面図及び断面図である。図５は、本考案のビーズ玩具セットの第２実施形態における保持トレイ及びイラストシートの上面図であり、図６は、本考案のビーズ玩具セットの第３実施形態における保持トレイ及びイラストシートの上面図である。図７は、本考案のビーズ玩具セットの第４実施形態における保持トレイ及び該保持トレイを使用して作成したビーズ形成物の斜視図である。図８は、本考案のビーズ玩具セットの第５実施形態を示す図である。
【００１５】
本考案に係るビーズ玩具セット10は、図１に示すように、真球形状のビーズ30と該ビーズ30を保持するための保持トレイ40から構成される。
【００１６】
ビーズ30は、図１に示すように、真球形状であり、種々の色により着色がなされている。また、該ビーズ30は樹脂製であり、液体に接触することによりその表面が溶解し、乾燥により接着力が活性化する。本考案において、当該ビーズ30は、水再活性接着剤を配合した合成樹脂を成形することにより作成される。水再活性接着剤は、水などの液体と接触することにより湿潤状態となると融解し、水分が蒸発すると硬化する水系接着剤であり、例えば、ポリビニルアルコールが好ましく用いられる。このポリビニルアルコールを樹脂に配合して混錬し、真球形状に成形することによりビーズ30を作成する。
【００１７】
保持トレイ40は、透明又は半透明の所望肉厚の樹脂製薄板で、上面視円形状に形成されている。該保持トレイ40は、図１及び図２に示すように、所望厚さの円板形状の保持トレイ本体41の上端側外周面全周に鍔部42を突出させて設け、該鍔部42の縁部の対向する２箇所に把持板44を上方に突出させるように設けて形成されている。
【００１８】
保持トレイ本体41の上面には、図１に示すように、前記ビーズ30を保持するための略半球形状の窪み43がほぼ全面に規則的に形成されている。該窪み43は、図４（ｂ）に示すように、例えば、球面の一部で形成される底部と該底部に連なる円筒壁部49とで形成される。該窪み43の開口径は、ビーズ30の直径とほぼ等しいかそれよりも小さい大きさとする。該円筒壁部49は、ビーズ30球面が窪み43と該窪み43の内壁面で接触するのを防ぐために形成されており、これにより、ビーズ30は窪み43の上端周縁部のみで支持される。
【００１９】
また、窪み43は、当該窪み43に配置したビーズ30同士の表面が互いに接触するように等間隔で規則的に配列されており、例えば、図４（ａ）に示すように、上面から見たときに六方対称に配列される。
【００２０】
そして、図２に示すように、保持トレイ本体41には、上記把持板44の形成方向に、該保持トレイ本体41の側壁において下端側から鍔部42の形成位置まで係止凹部45が形成されている。該係止凹部45は、後述するベーストレイ50の係止凸部52が嵌め合う大きさとされる。
【００２１】
本考案において、上記保持トレイ40はベーストレイ50に固定保持され、該ベーストレイ50と保持トレイ40の間の空間にイラストシート60を配置して、該イラストシート60の図柄に従って前記ビーズ30を保持トレイ40の上面に配置する。
【００２２】
ベーストレイ50は、樹脂製の薄板材で、図３（ｂ）に示したように、前記保持トレイ40の鍔部42の外径より僅かに大きい外径の円形状に形成されている。そして、該ベーストレイ50の上面には鍔部42の外径とほぼ等しい外径を有する固定壁51が突設されている。そして、該固定壁51の内壁には対向する２箇所からベーストレイ50の内側に向けて係止凸部52が形成されている。また、ベーストレイ50のほぼ中央に貫通孔53が形成されている。
【００２３】
イラストシート60は、図３（ａ）に示したように、紙やプラスチックなどの円形状のシートであり、表面に模様が描かれている。該イラストシート60の外径は前記ベーストレイ50の固定壁51の内径より僅かに小さく、円周の対向する２箇所に前記保持トレイ40の係止凹部45とほぼ等しい大きさの切り欠き62が設けられている。また、イラストシート60の表面の模様は、ビーズ30の直径にほぼ等しい直径の丸柄61によって構成されており、上記した保持トレイ40の窪み43の配列と同様に、該丸柄61も六方対称の構成に従って配列されている。例えば、図３（ａ）に示したように、複数の色の丸柄61によりうさぎの絵が描かれる。
【００２４】
上記した保持トレイ40、ベーストレイ50及びイラストシート60は、図４（ａ）及び（ｂ）に示すように、ベーストレイ50の上面にイラストシート60をそのイラストシート60の切り欠き62がベーストレイ50の係止凸部52に嵌め合うようにして配置し、保持トレイ40を保持トレイ本体41の係止凹部45がベーストレイ50の係止凸部52に嵌め合うように覆設して組み立てる。このとき、ベーストレイ50の固定壁51の内壁と保持トレイ本体41の側壁が互いに当接し、且つ、鍔部42が固定壁51の上面を覆い、保持トレイ40が安定してベーストレイ50に固定される。該保持トレイ40は透明又は半透明であるため、図４（ａ）に示したように、上面からみたときに保持トレイ40の下方に配置したイラストシート60の模様が透けて見え、且つイラストシート60の丸柄61と保持トレイ40の窪み43の位置がほぼ等しくなる。また、前記保持トレイ40及びイラストシート60は、ベーストレイ50の裏側から該ベーストレイ50の貫通孔53を通してこれらを押し上げることで容易にベーストレイ50から離脱させることが出来る。
【００２５】
次に、本考案のビーズ玩具セット10を用いた使用形態について説明する。
上記の如く保持トレイ40、ベーストレイ50及びイラストシート60を組み立て、イラストシート60の模様を構成する丸柄61と保持トレイ40の窪み43の位置合わせをする。
【００２６】
次に、イラストシート60の図柄の丸柄61の色及び配置に合わせて、ビーズ30を保持トレイ40の窪み43に配列していく。
【００２７】
その後、ビーズ30の上から霧吹きや刷毛等で水を塗布し、ビーズ30の表面を湿潤状態とする。このとき、隣り合うビーズ30同士が水でつながった状態とする。水分が蒸発してビーズ30表面が乾燥するまで放置した後、ビーズ30を保持トレイ40から剥し、裏面にも水を塗布して、同様にビーズ30表面を乾燥させる。
【００２８】
以上の工程により、隣り合うビーズ30同士が互いに融解一体化され、イラストシート60の図柄通りにビーズの絵模様を作成することができる。また、乾燥時に平面を有する重石を作品の上に載せておくことで、作品の反り返りを防ぐことが出来る。
【００２９】
本考案において、窪み43には円筒壁部49を形成しているため、該窪み43にビーズ30を載置した際に、ビーズ30の下方には間隙ができる。従って、ビーズ30に水等を塗布してビーズ30の表面を湿潤状態とする時に、該間隙に余分な水が溜まることとなり、ビーズ30の表面を均一に融解することができ、ビーズ模様の仕上がりが美しくなる。ここで、間隙に溜まった余分な水にもビーズ30から融解したポリビニルアルコールが溶け込み、水分が蒸発した後で硬化して該窪み43の底部に付着することになるが、該窪み43の底部は球面に形成されているため、先端の細い棒等を用いて容易にポリビニルアルコール滓を掻き出すことができる。
【００３０】
本考案において、保持トレイ40の窪み43は、図５（ａ）に示したように正方対称に規則的に配列したり、図６（ａ）に示したように同心円状に規則的に配列する等、種々の形態とすることができる。また、窪み43を正方対称に各々配列する場合、イラストシート60の模様は、図５（ｂ）に示すように、丸柄61を正方対称の構成に従って配列することにより描かれ、窪み43を同心円状に配置する場合は、イラストシート60の模様は、図６（ｂ）に示すように、丸柄61を該丸柄61が輪を作るように配置して描かれる。
【００３１】
また、前記窪み43の形状は、載置したビーズ30の下方に間隙を形成しつつ該ビーズ30を定位置に固定支持し、且つ余分な水に溶け出したポリビニルアルコール滓を容易に掻き出すことができる略半球形状とすれば良い。例えば、開口部に円筒壁部49を設けることなく、窪み43を縦軸方向に長軸を有する半楕円形状としたり、ビーズ30の半径よりも小さい曲率半径を有する球形状とすることが可能であり、載置したビーズ30の下方に形成された間隙に余分な水を滴下させることができる。また、ビーズ30の半径よりも大きな曲率半径を有する半球よりも小さな形状としてビーズ30の周囲に間隙を形成するようにしてもよい。
【００３２】
また、図７（ａ）に示すように、保持トレイ40に下向きに空間を形成した保持部46を形成し、該保持部46の内壁に前記ビーズ30を保持する略半球形状の窪み43を複数形成することもできる。該保持部46の内壁に形成した窪み43にビーズ30を互いの表面が接触するように配置し、その表面から水を塗布して湿潤状態とすると、図７（ｂ）に示すように、ビーズ30を立体的に融着することができる。尚、該保持部46は、図７（ａ）に示すような球形空間とする場合に限るものではなく、角錐台形状や半円溝によるドーナツ形状の空間等、種々の形状とすることができる。
【００３３】
更に、図８に示すように、保持トレイ40を種々の形状を模った側壁47を有する平板状のトレイとすることもできる。この場合、側壁47は、ビーズの直径の半分以下の高さとする。これは、作成後のビーズの絵模様を容易に保持トレイ40から取り外せるようにするためである。保持トレイ40を種々の形状を模って形成し、ビーズ30をビーズ30同士が接触するように配置することで、ビーズの絵模様を作成することができる。
【００３４】
本考案において、ビーズ30は、熱硬化性樹脂等の合成樹脂でビーズボールを成形し、その表面をポリビニルアルコールで被包し作成しても良い。
【００３５】
また、ビーズ30に塗布する液体は、水溶性ベースの溶液であれば特に限定されないが、ビーズ30は着色されているため、水道水等の透明な液体が好ましく使用できる。
【００３６】
また、本考案のビーズ玩具セット10を用いて作成されたビーズの絵模様は、破損した場合でも、液体を塗布して湿潤状態とすることで再び接着力が出てくるので、容易に補修することが出来る。
【図面の簡単な説明】
【００３７】
【図１】本考案に係るビーズ玩具セットの第１実施形態を示す図である。
【図２】図１の保持トレイを裏面から見た斜視図である。
【図３】（ａ）はイラストシートの斜視図であり、（ｂ）はベーストレイの斜視図である。
【図４】（ａ）はベーストレイにイラストシート及び保持トレイを配置した状態の上面図であり、（ｂ）は（ａ）のＡ−Ａ断面図である。
【図５】（ａ）は本考案に係るビーズ玩具セットの第２実施形態における保持トレイであり、（ｂ）は第２実施形態に使用するイラストシートの上面図である。
【図６】（ａ）は本考案に係るビーズ玩具セットの第３実施形態における保持トレイであり、（ｂ）は第３実施形態に使用するイラストシートの上面図である。
【図７】（ａ）は本考案に係るビーズ玩具セットの第４実施形態における保持トレイであり、（ｂ）は（ａ）の保持トレイを使用して作成したビーズ形成物の斜視図である。
【図８】本考案に係るビーズ玩具セットの第５実施形態を示す図である。
【符号の説明】
【００３８】
１０  ビーズ玩具セット
３０  ビーズ
４０  保持トレイ
４１  保持トレイ本体
４２  鍔部
４３  窪み
４４  把持板
４５  係止凹部
４６  保持部
４７  側壁
４９  円筒壁部
５０  ベーストレイ
５１  固定壁
５２  係止凸部
５３  貫通孔
６０  イラストシート
６１  丸柄
６２  切り欠き
【図１】
0003131292.tif 000003
【図２】
0003131292.tif 000004
【図３】
0003131292.tif 000005
【図４】
0003131292.tif 000006
【図５】
0003131292.tif 000007
【図６】
0003131292.tif 000008
【図７】
0003131292.tif 000009
【図８】
0003131292.tif 000010